(57)【要約】【課題】現用系の処理部２、予備系の処理部３、これらに共通な非多重化処理部１を有する電話システムで、現用系から予備系への切り替え時における効率化を図る。【解決手段】現用系の処理部はリアルタイムに更新される通信路と呼との対応情報２１を記憶する現用系記憶手段を備え、予備系の処理部は定期的なタイミングで更新される対応情報２２を記憶する予備系記憶手段を備え、非多重化処理部は、現用系の処理部の対応情報と共にリアルタイムに更新される対応情報１１を記憶する第１の記憶手段と、予備系の処理部の対応情報が更新される定期的なタイミングで更新される対応情報１２を記憶する第２の記憶手段と、これらの対応情報１１、１２を比較する比較手段と、を備える。【選択図】  図１
2011087193.tif 000002
【特許請求の範囲】
【請求項１】
現用系の処理部と、予備系の処理部と、これらに共通な非多重化処理部を有する電話システムにおいて、
前記現用系の処理部は、リアルタイムに更新される通信路と呼との対応情報を記憶する現用系記憶手段を備え、
前記予備系の処理部は、定期的なタイミングで更新される通信路と呼との対応情報を記憶する予備系記憶手段を備え、
前記非多重化処理部は、前記現用系の処理部の対応情報と共にリアルタイムに更新される通信路と呼との対応情報を記憶する第１の記憶手段と、前記予備系の処理部の対応情報が更新される前記定期的なタイミングで更新される通信路と呼との対応情報を記憶する第２の記憶手段と、前記第１の記憶手段に記憶された対応情報と前記第２の記憶手段に記憶された対応情報とを比較する比較手段と、を備えた、
ことを特徴とする電話システム。
【発明の詳細な説明】
【技術分野】
【０００１】
本発明は、現用系の交換制御部及び予備系の交換制御部を有する電話システムに関し、特に、現用系の交換制御部から予備系の交換制御部へ切り替えられるときに、リアルタイムに更新される各回線ＩＦ制御部のＨＷ（ＨｉｇｈＷａｙ）−呼番号テーブルの内容と定期的に更新される予備系の交換制御部のＨＷ−呼番号テーブルの内容との相違を簡易に検出することが可能な交換機システムに関する。
【０００２】
なお、本願で言う「交換機システム」は、他の任意の名称で呼ばれてもよく、例えば、「交換機」と呼ばれてもよい。
【背景技術】
【０００３】
電話システム、例えば、構内無線システムでは、所定の構内で活動等するユーザ（人）により携帯される無線端末装置と、当該構内に設置される基地局装置との間で、無線により通信することが行われる。このような構内無線システムでは、交換機システムが用いられている。
【０００４】
ここで、ＰＢＸ（Ｐｒｉｖａｔｅ  Ｂｒａｎｃｈ  Ｅｘｃｈａｎｇｅ）等の交換機システムでは、ハードウエアを現用系と予備系とで２重化して、システムの故障時に現用系から予備系のハードウエアへ切り替えてシステムサービスを継続させる２重化機能を有するものがある。
この２重化切り替えの際、現用系での通話呼（通話状態）を切断することなく予備系へ引き継ぐ機能は、故障によるダメージを最小限にとどめる上では重要な機能である。
【０００５】
例えば、複数のＣＰＵ（Ｃｅｎｔｒａｌ  Ｐｒｏｃｅｓｓｉｎｇ  Ｕｎｉｔ）を用いて構成された交換機システムにおいて、現用系から予備系へ通話の呼情報を引き継ぐ場合には、ＣＰＵ間での呼制御ステータスのずれが問題になる。
これについては、現用系の装置と予備系の装置との間における呼制御ステータスのずれを「発生させない」こと、又は、ずれが「発生しても検出して解消する」こと、のいずれかの機能が必須となる。
【０００６】
呼制御ステータスのずれを「発生させない」タイプの設計では、全てのＣＰＵでリアルタイムに通信することが必要となり、高負荷になってしまう。
また、呼制御ステータスを一定時間毎に定期的に現用系から予備系へ引き継ぐタイプの設計では、呼制御ステータスの不一致の検出が必要になる。
【０００７】
図２には、交換機システムの構成例を示してある。
本例の交換機システムは、各回線ＩＦ制御部（本例では、まとめて示す）１０１、第１の交換制御部１０２、第２の交換制御部１０３を備えている。なお、本例では、各処理部１０１〜１０３には、それぞれ異なるＣＰＵが備えられている。
また、図２には、各回線ＩＦ制御部１０１のメモリに記憶されるＨＷ−呼番号テーブル１１１、第１の交換制御部１０２のメモリに記憶されるＨＷ−呼番号テーブル１１２、第２の交換制御部１０３のメモリに記憶されるＨＷ−呼番号テーブル１１３を示してある。
ここで、呼番号は、通話毎に付加される識別番号である。呼番号を利用することにより、例えば、同時に複数の通話が行われて混信することを防止することができる。
【０００８】
また、図２には、各回線ＩＦ制御部１０１に接続される複数の回線（回線１、２、３）を示してある。本例の交換機システムは、これらの回線を介して、例えば、他社の交換機システム等と接続されている。
本例では、第１の交換制御部１０２が現用系として使用されており、第２の交換制御部１０３が予備系として待機させられている。
【０００９】
このように、本例では、交換制御部の現用系と予備系の部分がハードウエア的に２重化されており、現用系の使用時には「現用系時の通信ルート」で通信が行われ、現用系の交換制御部１０２に故障等が発生したことが検出されると、現用系から予備系へ切り替えられて、「予備系時の通信ルート」で通信が行われる。なお、２重化切り替え時に、各回線ＩＦ制御部１０１はそのまま切り替わらずに動作し続ける。
【００１０】
ここで、各処理部１０１〜１０３では、通信路と呼との対応を示す通信情報として、例えば音声チャネル（音声ｃｈ）などのハイウエイ（ＨＷ：ＨｉｇｈＷａｙ）と呼番号との対応テーブル（ＨＷ−呼番号テーブル１１１〜１１３）を有しており、いずれの通信呼（呼番号）がいずれのＨＷで通話を行っているかを特定する情報を保持しながら動作する。
図２の例では、呼番号「０ｘ０１２３」とＨＷ「０」とが対応付けられており、呼番号「０ｘ０４５６」とＨＷ「１」とが対応付けられている、といったように、呼番号とＨＷとの対応があり、いずれのＨＷがいずれの呼で使用されているかが記憶（記録）されている。
【００１１】
本例の交換機システムでは、各回線ＩＦ制御部１０１と現用系の交換制御部１０２との間では、例えばリアルタイムに、ＨＷ−呼番号テーブル１１１、１１２の内容が同じになるように制御される。
また、現用系の交換制御部１０２から予備系の交換制御部１０３へ切り替えられるときに備えて、現用系の交換制御部１０２に記憶されるＨＷ−呼番号テーブル１１２の内容が、定期的に、予備系の交換制御部１０３に記憶されるＨＷ−呼番号テーブル１１３へコピーされる。
【００１２】
しかしながら、このような定期引き継ぎ方式の場合には、定期的なコピーの間隔内に発生した新しい呼に関する情報については現用系から予備系へ伝わらないため、２重化切り替え発生時に、各回線ＩＦ制御部１０１と予備系の交換制御部１０３との間でＨＷ−呼番号テーブル１１１、１１３の内容に一部不一致（ずれ）が発生してしまう。
このため、予備系の運用開始時には、ＨＷ−呼番号テーブル１１１、１１３の内容を比較して不一致の解消を実施してから運用を開始する必要がある。
【００１３】
図３には、図２に示されるシステムについて、各回線ＩＦ制御部１０１のＨＷ−呼番号テーブル１１１の内容と予備系の交換制御部１０３のＨＷ−呼番号テーブル１１３の内容との間で不一致が発生した場合の様子の一例を概念的に示してある。
図３の例では、各回線ＩＦ制御部１０１のＨＷ−呼番号テーブル１１１では、呼番号「０ｘ０４５６」とＨＷ「１」とが対応付けられているのに対して、予備系の交換制御部１０３のＨＷ−呼番号テーブル１１３では、呼番号「０ｘ０７８９」とＨＷ「１」とが対応付けられており、この部分が不一致部となっている。この理由は、予備系の交換制御部１０３のＨＷ−呼番号テーブル１１３の不一致部が古いデータであるためである。
【００１４】
ここで、ＨＷ−呼番号テーブル１１１、１１３のずれを検出するためには、各回線ＩＦ制御部１０１のＣＰＵと予備系の交換制御部１０３のＣＰＵとの間でデータを転送して比較し、テーブル内容の一致、不一致を判定する必要が発生する。
しかしながら、このようなデータの転送処理については、特にＨＷの数が多いと、負荷が大きくなって、予備系への切り替えの時間が遅くなってしまう。例えば、呼制御ｃｈが多い大規模なシステム構成であるほど、このようなデータのＣＰＵ間での転送処理の負荷が大きくなるため、瞬時に切り替えを行って復旧しなければならない２重化機能においては性能上のネックとなってしまう。
【先行技術文献】
【特許文献】
【００１５】
【特許文献１】特開２００４−２４２１２９号公報
【発明の概要】
【発明が解決しようとする課題】
【００１６】
上述のように、従来の交換機システムでは、予備系の交換制御部１０３のＨＷ−呼番号テーブル１１３の内容をリアルタイムに更新することを行わない構成において、現用系の交換制御部１０２から予備系の交換制御部１０３へ切り替えられるときに、各回線ＩＦ制御部１０１のＨＷ−呼番号テーブル１１１の内容と予備系の交換制御部１０３のＨＷ−呼番号テーブル１１３の内容との間にずれが発生してしまうことがあり、そのずれを訂正するために多くの負荷がかかり得るといった問題があった。
【００１７】
本発明は、このような従来の事情に鑑み為されたもので、現用系の交換制御部及び予備系の交換制御部を有する構成において、現用系の交換制御部から予備系の交換制御部へ切り替えられるときに、リアルタイムに更新される各回線ＩＦ制御部の通信路と呼との対応情報の内容と定期的に更新される予備系の交換制御部の通信路と呼との対応情報の内容との相違を簡易に検出することが可能な電話システムを提供することを目的とする。
【課題を解決するための手段】
【００１８】
上記目的を達成するため、本発明では、現用系の処理部と、予備系の処理部と、これらに共通な非多重化処理部を有する電話システムにおいて、次のような構成とした。
すなわち、前記現用系の処理部では、現用系記憶手段が、リアルタイムに更新される通信路と呼との対応情報を記憶する。前記予備系の処理部では、予備系記憶手段が、定期的なタイミングで更新される通信路と呼との対応情報を記憶する。前記非多重化処理部では、第１の記憶手段が、前記現用系の処理部の対応情報と共にリアルタイムに更新される通信路と呼との対応情報を記憶し、第２の記憶手段が、前記予備系の処理部の対応情報が更新される前記定期的なタイミングで更新される通信路と呼との対応情報を記憶し、比較手段が、前記第１の記憶手段に記憶された対応情報と前記第２の記憶手段に記憶された対応情報とを比較する。
【００１９】
従って、例えば、現用系の処理部から予備系の処理部へ切り替えられるときに、リアルタイムに更新される非多重化処理部の対応情報の内容と定期的に更新される予備系の処理部の対応情報の内容（定期的に更新される非多重化処理部の対応情報の内容と同じもの）との相違を簡易に検出することを可能とすることができる。
【００２０】
ここで、現用系の処理部と予備系の処理部としては、例えば、同じ構成のもの、或いは、類似した構成のものを用いることができる。
また、現用系の処理部や、予備系の処理部や、非多重化処理部としては、それぞれ、種々な構成のものが用いられてもよい。
また、通信路としては、例えば、ハイウエイ（ＨＷ）などを用いることができ、本発明において通信路としての回線は限定されるものではない。
また、各記憶手段としては、例えば、メモリを用いて構成することができる。
また、非多重化処理部における第１の記憶手段と第２の記憶手段は、例えば、共通な（同一の）メモリの記憶領域を用いて構成されてもよく、或いは、それぞれ異なるメモリを用いて構成されてもよい。
【００２１】
また、定期的なタイミングとしては、種々なタイミングが用いられてもよい。
また、リアルタイムとしては、例えば、必ずしも厳密的に連続した時間でなくてもよく、定期的なタイミングに比べて周期が短く実質的にリアルタイムであるとみなされる態様を含む。
【発明の効果】
【００２２】
以上説明したように、本発明に係る電話システムによると、現用系の処理部から予備系の処理部へ切り替えられるときにおける、通信路と呼との対応情報に関する処理を簡易化することが可能であり、現用系から予備系への切り替え時における効率化を図ることができる。
【図面の簡単な説明】
【００２３】
【図１】本発明の一実施例に係る電話システムにおける交換機システムの構成例を示す図である。
【図２】交換機システムの構成例を示す図である。
【図３】ＨＷ−呼番号テーブルの内容に不一致が発生した場合の様子の一例を概念的に示す図である。
【発明を実施するための形態】
【００２４】
本発明に係る実施例を図面を参照して説明する。
図１には、本発明の一実施例に係る電話システムに設けられる交換機システムの構成例を示してある。
なお、図１は図の簡略のため、交換機システムに関する、各回線ＩＦ制御部１、交換制御部２、及び交換制御部３のみを示し、各回線ＩＦ制御部１が回線１〜３と直接接続された例を示している。しかし、本発明の一実施例としての電話システムは、各回線ＩＦ制御部１が各回線ＩＦに接続され、各回線ＩＦには回線１〜３などを介して無線基地局装置、有線ページング装置、内線電話（有線電話機）、ショートメッセージサーバ、他電話システムなどが接続されている。また、本電話システムは、無線基地局装置と無線通信する複数の無線通信端末を備えている。そして、本例の電話システムでは、無線通信端末、有線ページング装置、内線電話、他電話システムの通信端末が呼出、通話可能に構成される。なお、有線ページング装置は回線ＩＦに有線で接続され端末装置に対するページング（呼び出し）を行うものであり、シュートメッセージサーバは構内ＬＡＮ（Ｌｏｃａｌ  Ａｒｅａ  Ｎｅｔｗｏｒｋ）で接続され本電話システム内の端末装置に対するショートメッセージの送受信を行うサーバである。また、本発明において、交換制御部２、３は回線制御に加えてショートメッセージ送信などの通信制御全般を行ってもよいし、通信制御は別途制御部を設けて実施してもよい。さらに、交換制御部２、３に設定情報の変更や制御を行う管理コンソール（保守ＰＣ等）が接続されていてもよい。
本例の電話システムの交換機システムは、各回線ＩＦ制御部（本例では、まとめて示す）１、第１の交換制御部２、第２の交換制御部３を備えている。なお、本例では、各処理部１〜３には、それぞれ異なるＣＰＵが備えられている。
また、図１には、通信路と呼との対応を示す通話情報の一例として、各回線ＩＦ制御部１のメモリに記憶される第１のＨＷ−呼番号テーブル１１及び第２のＨＷ−呼番号テーブル１２、第１の交換制御部２のメモリに記憶されるＨＷ−呼番号テーブル２１、第２の交換制御部３のメモリに記憶されるＨＷ−呼番号テーブル２２を示してある。
【００２５】
また、図１には、各回線ＩＦ制御部１に接続される複数の回線（回線１、２、３）を示してある。本例の交換機システムは、これらの回線を介して、例えば、他社の交換機システム等と接続されている。
本例では、第１の交換制御部２が現用系として使用されており、第２の交換制御部３が予備系として待機させられている。
【００２６】
本例では、現用系の交換制御部２が使用されていて「現用系時の通信ルート」で処理が行われている状態において、現用系の交換制御部２に故障等が発生したことが検出されて使用の継続ができなくなったようなときには、制御部等（図示せず）により、現用系の交換制御部２の代わりに予備系の交換制御部３が使用されるように切り替えられて、予備系の交換制御部３が使用されて「予備系時の通信ルート」で処理が行われる状態へ遷移する。
【００２７】
次に、ＨＷと呼番号との対応テーブルであるＨＷ−呼番号テーブルの更新制御について詳しく説明する。
各回線ＩＦ制御部１では、第１のＨＷ−呼番号テーブル１１の内容についてはリアルタイムで更新し、第２のＨＷ−呼番号テーブル１２の内容については定期的に更新する。この定期的なタイミングとしては、予備系の交換制御部３のＨＷ−呼番号テーブル２２に関する定期的な引き継ぎ時のタイミングと同じタイミングを用いる。
【００２８】
現用系の交換制御部２では、ＨＷ−呼番号テーブル２１の内容を、リアルタイムに更新する。この更新は、例えば、各回線ＩＦ制御部１と現用系の交換制御部２との間の通信により、各回線ＩＦ制御部１の第１のＨＷ−呼番号テーブル１１の更新と同期して行われ、これらのＨＷ−呼番号テーブル１１、２１の内容が常に一致させられる。
【００２９】
予備系の交換制御部３では、予め設定された定期的な引き継ぎ時のタイミングで、ＨＷ−呼番号テーブル２２の内容を、現用系の交換制御部２のＨＷ−呼番号テーブル２１の内容に一致させる（内容をコピーする）ように、更新する。この更新は、例えば、予備系の交換制御部３と現用系の交換制御部２との間の通信により行われる。また、この更新と同じタイミングで、例えば、各回線ＩＦ制御部１と現用系の交換制御部２との間で通信することにより、各回線ＩＦ制御部１の第２のＨＷ−呼番号テーブル１２の内容を、現用系の交換制御部２のＨＷ−呼番号テーブル２１の内容に一致させる（内容をコピーする）ように、更新する。
これにより、各回線ＩＦ制御部１の第２のＨＷ−呼番号テーブル１２の内容と予備系の交換制御部３のＨＷ−呼番号テーブル２２の内容が常に一致させられる。
【００３０】
ここで、各回線ＩＦ制御部１の第１のＨＷ−呼番号テーブル１１の内容と現用系の交換制御部２のＨＷ−呼番号テーブル２１の内容はリアルタイムで最新の状態に更新されるのに対して、各回線ＩＦ制御部１の第２のＨＷ−呼番号テーブル１２の内容と予備系の交換制御部３のＨＷ−呼番号テーブル２２の内容は、定期的に更新されるため、一部が古い（現在の状態とは異なる）データとなる場合がある。
【００３１】
そして、本例では、現用系の交換制御部２から予備系の交換制御部３へ切り替えられるときに、各回線ＩＦ制御部１において、２種類のＨＷ−呼番号テーブル１１、１２の内容を比較する。２種類のＨＷ−呼番号テーブル１１、１２の内容の相違を検出する方法としては、例えば、各ＨＷ毎に呼番号が一致するか否かを判定する方法や、或いは、各呼番号毎にＨＷが一致するか否かを判定する方法などを用いることができる。
【００３２】
ここで、２種類のＨＷ−呼番号テーブル１１、１２の内容に相違がある場合の問題点としては、一例として、各回線ＩＦ制御部１で通話中と管理し且つ予備系の交換制御部３で空きであると管理するＨＷ及び呼番号の対応については、通話相手の回線が使用中であるのに対して、中枢部では音声が通話相手に接続されずに無音になることが発生し、また、他の例として、各回線ＩＦ制御部１で空きであると管理し且つ予備系の交換制御部３で通話中であると管理するＨＷ及び呼番号の対応については、通話相手の回線が切断済みであるのに対して、中枢部では通話中の扱いとなり、第三者がこの回線に電話をかけても通話中（ビジー）の扱いとなってしまい、正常な運用ができない。
【００３３】
このような相違を解消する方法としては、例えば、各回線ＩＦ制御部１で通話中と管理し且つ予備系の交換制御部３で空きであると管理するＨＷ及び呼番号の対応について、各回線ＩＦ制御部１の通話状態を切断して両方を「空き」でそろえる方法や、或いは、予備系の交換制御部３を接続しなおして両方を「通話中」にする方法を用いることができる。
例えば、各回線ＩＦ制御部１は、２種類のＨＷ−呼番号テーブル１１、１２の内容の比較の結果、相違がある部分については、呼を切断する。また、各回線ＩＦ制御部１は、相違がある部分については予備系の交換制御部３のＨＷ−呼番号テーブル２２の内容を書き換えて、交換制御部３に回線の接続を復元させるようにしてもよい。
【００３４】
このように、本例では、２重化切り替えが行われない部分である各回線ＩＦ制御部１に、リアルタイムに更新される情報（第１のＨＷ−呼番号テーブル１１）と定期的に引き継がれる情報（第２のＨＷ−呼番号テーブル１２）の両方を持たせ、２重化切り替え時に、（例えば、データのコピーを行うことなく、）各回線ＩＦ制御部１内で両方のテーブル１１、１２の内容を比較して、相違がある部分を検出し、これにより、例えば、相違がある部分を切断することで、２重化切り替え時の制御を簡易化している。
【００３５】
以上のように、本例の電話システムでは、ＰＢＸ等の呼制御を行う交換機システムにおいて、システムの２重化を行って、呼制御ステータスを一定時間毎に定期的に現用系から予備系へ引き継ぐタイプの設計において、各回線ＩＦ制御部１にＨＷ−呼番号テーブル１１、１２としてリアルタイムに更新されるテーブル１１と定期引き継ぎ時に更新されるテーブル１２の２種類を持たせることで、例えば、２重化切り替え時のデータ転送を省略して、２重化切り替え時に呼制御ステータスの不一致を検出して修正することを短時間で行うことが可能となり、２重化切り替え時の処理に要する時間を短縮することが可能となる。
【００３６】
このように、本例の電話システムでは、例えば、２重化切り替え時における切り替え時間を短縮することができ、負荷が少ない定期引き継ぎ方式で２重化切り替えを実現することができ、呼制御ｃｈが多い大規模なシステム構成でも簡易に２重化切り替えを実現することができる。
【００３７】
具体的には、従来では、各回線ＩＦ制御部１０１と予備系の交換制御部１０３とが連携していないため、これらそれぞれの装置１０１、１０３に保存されたデータ（例えば、ＨＷ−呼番号テーブルの内容のデータ）同士が不一致であるか否かが不明であったが、本例では、例えば、現用系の交換制御部２から各回線ＩＦ制御部１に対して、リアルタイムで更新されるデータと、定期的に予備系の交換制御部３に引き継がれるデータの両方が送信されるため、予備系の交換制御部３が使用される際に、各回線ＩＦ制御部１において２つのＨＷ−呼番号テーブル１１、１２の内容を比較して相違を検出することができる。
【００３８】
なお、本例の電話システムの交換機システムでは、現用系の処理部（本例では、第１の交換制御部２）と、予備系の処理部（本例では、第２の交換制御部３）と、これらに共通な非多重化処理部（本例では、各回線ＩＦ制御部１）を有しており、現用系の処理部はリアルタイムに更新される通信路（本例では、ＨＷ）と呼（本例では、呼番号）との対応情報（本例では、ＨＷ−呼番号テーブル２１）を記憶する現用系記憶手段（本例では、メモリ）を備え、予備系の処理部は定期的なタイミングで更新される通信路と呼との対応情報（本例では、ＨＷ−呼番号テーブル２２）を記憶する予備系記憶手段（本例では、メモリ）を備え、非多重化処理部は、現用系の処理部の対応情報と共にリアルタイムに更新される通信路と呼との対応情報（本例では、第１のＨＷ−呼番号テーブル１１）を記憶する第１の記憶手段（本例では、メモリ）と、予備系の処理部の対応情報が更新される定期的なタイミングで更新される通信路と呼との対応情報（本例では、第２のＨＷ−呼番号テーブル１２）を記憶する第２の記憶手段（本例では、メモリ）と、第１の記憶手段に記憶された対応情報と第２の記憶手段に記憶された対応情報とを比較する比較手段（例えば、ＣＰＵの機能）と、を備えている。
【００３９】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４０】
１、１０１・・各回線ＩＦ制御部、  ２、１０２・・交換制御部（現用系）、  ３、１０３・・交換制御部（予備系）、  １１、１２、２１、２２、１１１〜１１３・・ＨＷ−呼番号テーブル、
【図１】
2011087193.tif 000003
【図２】
2011087193.tif 000004
【図３】
2011087193.tif 000005
【手続補正書】
【提出日】平成21年10月19日(2009.10.19)
【手続補正１】
【補正対象書類名】明細書
【補正対象項目名】００２４
【補正方法】変更
【補正の内容】
【００２４】
本発明に係る実施例を図面を参照して説明する。
図１には、本発明の一実施例に係る電話システムに設けられる交換機システムの構成例を示してある。
なお、図１は図の簡略のため、交換機システムに関する、各回線ＩＦ制御部１、交換制御部２、及び交換制御部３のみを示し、各回線ＩＦ制御部１が回線１〜３と直接接続された例を示している。しかし、本発明の一実施例としての電話システムは、各回線ＩＦ制御部１が各回線ＩＦに接続され、各回線ＩＦには回線１〜３などを介して無線基地局装置、有線ページング装置、内線電話（有線電話機）、ショートメッセージサーバ、他電話システムなどが接続されている。また、本電話システムは、無線基地局装置と無線通信する複数の無線通信端末を備えている。そして、本例の電話システムでは、無線通信端末、有線ページング装置、内線電話、他電話システムの通信端末が呼出、通話可能に構成される。なお、有線ページング装置は回線ＩＦに有線で接続され端末装置に対するページング（呼び出し）を行うものであり、ショートメッセージサーバは構内ＬＡＮ（Ｌｏｃａｌ  Ａｒｅａ  Ｎｅｔｗｏｒｋ）で接続され本電話システム内の端末装置に対するショートメッセージの送受信を行うサーバである。また、本発明において、交換制御部２、３は回線制御に加えてショートメッセージ送信などの通信制御全般を行ってもよいし、通信制御は別途制御部を設けて実施してもよい。さらに、交換制御部２、３に設定情報の変更や制御を行う管理コンソール（保守ＰＣ等）が接続されていてもよい。
本例の電話システムの交換機システムは、各回線ＩＦ制御部（本例では、まとめて示す）１、第１の交換制御部２、第２の交換制御部３を備えている。なお、本例では、各処理部１〜３には、それぞれ異なるＣＰＵが備えられている。
また、図１には、通信路と呼との対応を示す通話情報の一例として、各回線ＩＦ制御部１のメモリに記憶される第１のＨＷ−呼番号テーブル１１及び第２のＨＷ−呼番号テーブル１２、第１の交換制御部２のメモリに記憶されるＨＷ−呼番号テーブル２１、第２の交換制御部３のメモリに記憶されるＨＷ−呼番号テーブル２２を示してある。